(57)【要約】 【課題】  簡単な構成であって、板部材の表面に弛みなく養生シートを貼り付ける養生シート貼付装置を提供する。【解決手段】  原反３の両端を一対の円錐状の支持部材８，９により回動可能に支持し、板部材４の搬送に伴って原反３から引き出される養生シート２に張力を付与するように、原反３や支持部材８，９の回転に負荷を与える負荷発生手段２０を備えたことで、養生シート２の粘着面を案内ローラ６や貼り付けローラ５に当接させることなく、板部材４の搬送に伴って原反３から引き出される養生シート２の送りに抵抗を生じさせ、板部材４の表面に弛み（しわ）なく養生シート２を貼り付けることができる。【選択図】  図１
2008239283.tif 000002
【特許請求の範囲】
【請求項１】
養生シートを巻回した原反と、前記養生シートが貼り付けられる板部材を搬送する搬送手段と、前記板部材の搬送に伴って原反から引き出された養生シートを板部材に貼り付ける貼り付けローラとを備えた養生シート貼付装置において、原反の両端を一対の円錐状の支持部材により回動可能に支持し、板部材の搬送に伴って原反から引き出される養生シートに張力を付与するように、原反や支持部材の回転に負荷を与える負荷発生手段を備えたことを特徴とする養生シート貼付装置。
【請求項２】
負荷発生手段は付勢部材により付勢される負荷部材から成り、その負荷部材を支持部材に当接させ、支持部材を介して原反の回転に負荷を掛けるようにしたことを特徴とする請求項１記載の養生シート貼付装置。
【発明の詳細な説明】
【技術分野】
【０００１】
本発明は、アルミ板や鋼板などの板部材の表面を保護するために、板部材の表面に養生シートを貼り付ける養生シート貼付装置に関する。
【背景技術】
【０００２】
従来、養生シートを巻回した原反と、前記養生シートが貼り付けられる板部材を搬送する搬送手段と、前記板部材の搬送に伴って原反から引き出された養生シートを板部材に貼り付ける貼り付けローラとを備えて成る養生シート貼付装置では、原反から引き出される養生シートに張力を付与することで、養生シートがアルミ板や鋼板などの板部材の表面に弛み（しわ）なく貼り付けられることが知られている。
特許文献１，２の装置では、原反から引き出された養生シートの粘着面をフィンガ（特許文献１）やテンションローラ（特許文献２）に当接させ、板部材の搬送に伴って養生シートがフィンガやテンションローラから剥がれるときに、養生シートの送りに抵抗を生じさせることで、養生シートに張力を付与するようになっている。
【特許文献１】特開２００２−３３８１３１号公報
【特許文献２】特開２００１−２３１２号公報
【発明の開示】
【発明が解決しようとする課題】
【０００３】
上記の養生シートの粘着面を当接させるフィンガやテンションローラは、粘着剤が残らないようにアルミなどの金属やナイロン樹脂などの材質のものが用いられている。ところが、前記材質のものであっても養生シートの粘着面を繰り返し当接させると、フィンガやテンションローラに粘着剤の一部が付着するおそれがある。このことから、フィンガやテンションローラに残った粘着剤が養生シートから粘着剤を取ったり、養生シートの粘着面に付着してしまい、板部材の表面に弛み（しわ）が生じる要因となるおそれがあった。また、板部材の幅方向長さに対応して養生シート幅が長い場合、粘着面がフィンガやテンションローラから剥がれるときに養生シートが均一に剥がれず板部材の表面に弛み（しわ）が生じるおそれがある。
そこで本発明の課題は、上記問題点を解決するもので、簡単な構成であって、板部材の表面に弛みなく養生シートを貼り付ける養生シート貼付装置を提供することを目的とする。
【課題を解決するための手段】
【０００４】
本発明は、養生シートを巻回した原反と、前記養生シートが貼り付けられる板部材を搬送する搬送手段と、前記板部材の搬送に伴って原反から引き出された養生シートを板部材に貼り付ける貼り付けローラとを備えた養生シート貼付装置において、原反の両端を一対の円錐状の支持部材により回動可能に支持し、板部材の搬送に伴って原反から引き出される養生シートに張力を付与するように、原反や支持部材の回転に負荷を与える負荷発生手段を備えたことを特徴とする。具体的に前記負荷発生手段は付勢部材により付勢される負荷部材から成り、その負荷部材を支持部材に当接させ、支持部材を介して原反の回転に負荷を掛けるようにしたことを特徴とする。
【発明の効果】
【０００５】
本発明は、原反の両端を一対の円錐状の支持部材により回動可能に支持し、板部材の搬送に伴って原反から引き出される養生シートに張力を付与するように、原反や支持部材の回転に負荷を与える負荷発生手段を備えたことで、養生シートの粘着面を案内ローラや貼り付けローラに当接させることなく、板部材の搬送に伴って原反から引き出される養生シートの送りに抵抗を生じさせることで、養生シートの粘着剤が案内ローラや貼り付けローラに付着することがないから、板部材の表面に弛み（しわ）なく養生シートを貼り付けることができる。また、負荷発生手段を付勢部材で付勢される負荷部材で構成し、その負荷部材を支持部材に当接させ、支持部材を介して原反の回転に負荷を掛けるようにしたことで、簡単な構成であり安価な養生シート貼付装置にできる。また、養生シート幅が長くても、原反から均一に引き出されるので、養生シートを弛み（しわ）なく板部材の表面に貼り付けることができる。
【発明を実施するための最良の形態】
【０００６】
図１は、養生シート２を巻回して成る原反３と、前記養生シート２が貼り付けられる板部材４を搬送する搬送手段１０と、前記板部材４の搬送に伴って原反３から引き出された養生シート２を板部材４に貼り付ける貼り付けローラ５とを備えた養生シート貼付装置１である。前記搬送手段１０は、図示しない駆動源により回転駆動する複数の駆動ローラ１１と板部材４の移動に従動する複数の回転ローラ１２から成り、各駆動ローラ１１の回転によって板部材４を図１の左側の搬入側から右側の搬出側に搬送させるようになっている。前記駆動ローラ１１や回転ローラ１２を覆うように門形のブラケット１３が設置されている。ブラケット１３は、駆動ローラ１１や回転ローラ１１の両端側に設置される左右一対の支柱１４，１５を連結部材１６により連結して構成されている。ブラケット１３には、原反３、貼り付けローラ５及び案内ローラ６が夫々備えられている。第１駆動ローラ１１ａの上方には板部材４を挟むように貼り付けローラ５が配置され、貼り付けローラ５の両端は左右の支柱１４，１５に回転可能に支持されている。また、貼り付けローラ５は移動手段として例示するシリンダ１７により上下方向に移動できるようになっている。貼り付けローラ５の上方には原反３から引き出される養生シート２を案内する案内ローラ６が配置され、案内ローラ６の両端は左右の支柱１４，１５に回転可能に支持されている。貼り付けローラ５の軸芯ＣＬ１と案内ローラ６の軸芯ＣＬ２とが平行となるようにしてある。
【０００７】
ブラケット１３の上方には紙管７に養生シート２を巻回して成る原反３が配置されている。養生シート２は、図３のように板部材４の表面に貼り付けることで加工や搬送中に表面に傷がつかないようにするものである。紙管７の両端に左右の支柱１４，１５に回転可能に設けた一対の円錐状の支持部材８，９を嵌合することで、原反３は回転可能に支持されている。また、原反３の軸芯ＣＬ３が前記貼り付けローラ５の軸芯ＣＬ１、案内ローラ６の軸芯ＣＬ２と平行となるように、一対の支持部材８，９は夫々設けられている。この原反３から引き出された養生シート２の表面（粘着面でない方の面）を案内ローラ６、貼り付けローラ５に当接させるようになっている。一方の支柱１４には原反３や支持部材８の回転に負荷を与える負荷発生手段２０が備えられている。負荷発生手段２０は付勢手段として例示するバネ部材２１により付勢される負荷部材２２から成る。本実施形態では、一方の支柱１４の側面に設けた突起部１４ａの上面にバネ部材２１を設置し、上方に付勢される負荷部材２２を支持部材８に設けた当接部８ａに下方から当接させ、支持部材８を介して原反３の回転に負荷を掛けるようになっている。ブラケット１３には養生シート２を切断するカッタ部材３０が設けられ、シリンダ部材３１によりカッタ部材３０の刃先を貼り付けローラ５より下方に突出させるようになっている。カッタ部材３０の幅長さは、養生シート２幅より僅かに長くしてある。尚、本実施形態では、負荷発生手段２０の負荷部材２２を支持部材８に当接させているが、負荷部材２２を原反３に当接させることで、養生シート２の送りに抵抗を生じさせるようにしてもよい。また、他方の支柱１５にも負荷発生手段２０を備え、両支持部材８，９の回転に負荷を与えるようにしてもよい。
【０００８】
次に、上記構成の養生テープ貼付装置１の作用について説明する。予め、図４（ａ）のように、原反３から養生シート２を案内ローラ６、貼り付けローラ５を介して第１駆動ローラ１１ａの前方まで引き出されている。また、貼り付けローラ５はシリンダ１７により搬送されてくる板部材４の厚さに対応するように移動している。図４（ｂ）のように、第２駆動ローラ１１ｂによって板部材４ａが搬出側に向けて搬送され、板部材４ａの端面に前記養生シート２が貼り付けられた後、第１駆動ローラ１１ａと貼り付けローラ５に挟まれることで板部材４ａの表面の一部に養生シート２が貼り付けられる。そして、図４（ｃ）のように、板部材４ａが第１駆動ローラ１１ａによって搬出側に搬送されることに伴って、原反３から引き出された養生シート２が貼り付けローラ５により板部材４ａの表面全体に貼り付けられる。このとき、負荷発生手段２０により原反３の回転に負荷が掛かっているので、板部材４ａの搬送に伴って原反３から引き出される養生シート２の送りに抵抗が生じ、養生シート２に張力が付与されることから、養生シート２は板部材４ａの表面に弛み（しわ）なく貼り付けられている。その後、図１のように、板部材４ａの後端面が第１駆動ローラ１１ａから離れたときには、次の板部材４ｂの表面の一部に養生シート２が貼り付けられている。その状態において、カッタ部材３０によって板部材４ａと次の板部材４ｂとの間の養生シート２が切断される。その後、板部材４ａは第３駆動ローラ（図示しない）によって搬出側に搬送される。続いて板部材４ｂの表面に養生シート２が貼り付けられる。このように搬入側から搬送される板部材４の表面に弛み（しわ）なく養生シート２が図４のように貼り付けられることが繰り返される。
【０００９】
従って、原反３の両端を一対の円錐状の支持部材８，９により回動可能に支持し、板部材４の搬送に伴って原反３から引き出される養生シート２に張力を付与するように、原反３や支持部材８，９の回転に負荷を与える負荷発生手段２０を備えたことで、養生シート２の粘着面を案内ローラ６や貼り付けローラ５に当接させることなく、板部材４の搬送に伴って原反３から引き出される養生シート２の送りに抵抗を生じさせることができる。そして、養生シート２の粘着剤が案内ローラ６や貼り付けローラ５に付着することがないから、板部材４の表面に弛み（しわ）なく養生シート２を貼り付けることが可能となる。また、負荷発生手段２０を付勢部材２１で付勢される負荷部材２２で構成し、その負荷部材２２を一方の支持部材８に当接させ、支持部材８を介して原反３の回転に負荷を掛けるようにしたので、簡単な構成で安価な養生シート貼付装置１となる。また、養生シート２幅が長くても、原反３から均一に引き出されることで、養生シート２が板部材４の表面に弛み（しわ）なく貼り付けられる。
【図面の簡単な説明】
【００１０】
【図１】本発明の養生シート貼付装置を示す図である。
【図２】図１のＩＩ視図である。
【図３】養生シートを貼り付けた板部材を示す図である。
【図４】養生シートの貼り付け状態を示す参考図である。
【符号の説明】
【００１１】
１      養生シート貼付装置
２      養生シート
３      原反
４      板部材
５      貼り付けローラ
８      支持部材
９      支持部材
１０      搬送手段
２０      負荷発生手段
２１      バネ部材
２２      負荷部材
【図１】
2008239283.tif 000003
【図２】
2008239283.tif 000004
【図３】
2008239283.tif 000005
【図４】
2008239283.tif 000006